(57)【要約】【課題】異常事態が生じてもターゲットを保護することが可能な液体噴射装置及び光照射装置を提供する。【解決手段】インクジェット式プリンターは、搬送される記録用紙１２に紫外線硬化性を有するインクを噴射する記録ヘッドと、記録ヘッドによってインクが噴射された記録用紙１２に紫外線を照射する紫外線照射ユニット２４とを備える。紫外線照射ユニット２４は、紫外線ランプ３５と、紫外線ランプ３５を内部に収容するとともに、紫外線ランプ３５からの紫外線を記録用紙１２に照射するための照射口３１を有するケース３０と、ケース３０内に配置されるとともに、紫外線ランプ３５からの紫外線を遮断する遮断位置と遮断しない非遮断位置との間で移動可能な各遮断板３８，３９と、ケース３０外に配置されるとともに、照射口３１を覆う保護位置と覆わない非保護位置との間で移動可能な各保護板４４，４５とを備える。【選択図】図２
2011156775.tif 000002
【特許請求の範囲】
【請求項１】
搬送されるターゲットに光硬化性を有する液体を噴射する液体噴射ヘッドと、該液体噴射ヘッドによって前記液体が噴射されたターゲットに光を照射する光照射装置とを備え、
前記光照射装置は、
光源と、
該光源を内部に収容するとともに、前記光源の光を前記ターゲットに照射するための照射口を有するケースと、
該ケースの内部に配置されるとともに、前記光源の光を遮断する遮断位置と前記光源の光を遮断しない非遮断位置との間で移動可能な遮断シャッターと、
前記ケースの外部に配置されるとともに、前記照射口を覆う保護位置と前記照射口を覆わない非保護位置との間で移動可能な保護シャッターと
を備えたことを特徴とする液体噴射装置。
【請求項２】
前記保護シャッターは、前記非保護位置で保持されており、予め設定された保護条件が満たされた場合に、前記非保護位置から前記保護位置へ移動することを特徴とする請求項１に記載の液体噴射装置。
【請求項３】
前記保護シャッターは、前記ケースに設けられた軸によって揺動可能に支持され、前記保護位置と前記非保護位置との間で揺動することを特徴とする請求項１または請求項２に記載の液体噴射装置。
【請求項４】
前記保護シャッターは、前記ターゲットの搬送方向に沿って揺動することを特徴とする請求項３に記載の液体噴射装置。
【請求項５】
前記搬送されるターゲットの幅方向において、前記保護シャッターの幅は前記照射口の幅よりも大きいことを特徴とする請求項１〜請求項４のうちいずれか一項に記載の液体噴射装置。
【請求項６】
前記照射口は前記光源の光が透過する材料からなる蓋部材によって塞がれていることを特徴とする請求項１〜請求項５のうちいずれか一項に記載の液体噴射装置。
【請求項７】
光源と、
該光源を内部に収容するとともに、前記光源の光を外部に照射するための照射口を有するケースと、
該ケースの内部に配置されるとともに、前記光源の光を遮断する遮断位置と前記光源の光を遮断しない非遮断位置との間で移動可能な遮断シャッターと、
前記ケースの外部に配置されるとともに、前記照射口を覆う保護位置と前記照射口を覆わない非保護位置との間で移動可能な保護シャッターと
を備えたことを特徴とする光照射装置。
【発明の詳細な説明】
【技術分野】
【０００１】
本発明は、例えば、紫外線などの光によって硬化する光硬化性のインクを用いたインクジェット式プリンターなどの液体噴射装置及び該液体噴射装置に備えられて紫外線などの光を照射する光照射装置に関する。
【背景技術】
【０００２】
一般に、液体噴射ヘッドから液体を噴射させる液体噴射装置としてインクジェット式プリンター（以下、「プリンター」ともいう。）が広く知られている。こうしたプリンターには紫外線硬化性を有するインク（液体）を用いるものがあり、該プリンターには、インクが噴射された記録用紙（ターゲット）に紫外線（光）を照射するべく特許文献１に示すような紫外線照射装置（光照射装置）が備えられている。
【０００３】
この特許文献１に記載の紫外線照射装置は下側が開口した照射器本体（ケース）を備えており、該照射器本体の内部には紫外線光源と該紫外線光源の光を遮断可能なシャッター（遮断シャッター）とが配置されている。そして、照射器本体の下側を搬送される記録用紙に噴射されたインクを硬化するときにはシャッターが開かれ、該インクを硬化しないときにはシャッターが閉じられるようになっている。
【先行技術文献】
【特許文献】
【０００４】
【特許文献１】特開平５−３３００１８号公報
【発明の概要】
【発明が解決しようとする課題】
【０００５】
ところで、特許文献１の紫外線照射装置では、紫外線光源が高い温度で発熱するため、この熱によってシャッターが変形しないように、該シャッターに遮熱板が設けられているが、照射器本体の下側の開口部分には何の熱対策もなされていない。このため、照射器本体の下側を搬送される記録用紙に紙詰まりなどの異常事態が生じた場合には、該記録用紙が照射器本体と接触して熱ダメージを受けてしまうおそれがあるという問題があった。
【０００６】
本発明は、このような従来技術に存在する問題点に着目してなされたものである。その目的とするところは、異常事態が生じてもターゲットを保護することが可能な液体噴射装置及び光照射装置を提供することにある。
【課題を解決するための手段】
【０００７】
上記目的を達成するために、本発明の液体噴射装置は、搬送されるターゲットに光硬化性を有する液体を噴射する液体噴射ヘッドと、該液体噴射ヘッドによって前記液体が噴射されたターゲットに光を照射する光照射装置とを備え、前記光照射装置は、光源と、該光源を内部に収容するとともに、前記光源の光を前記ターゲットに照射するための照射口を有するケースと、該ケースの内部に配置されるとともに、前記光源の光を遮断する遮断位置と前記光源の光を遮断しない非遮断位置との間で移動可能な遮断シャッターと、前記ケースの外部に配置されるとともに、前記照射口を覆う保護位置と前記照射口を覆わない非保護位置との間で移動可能な保護シャッターとを備えた。
【０００８】
通常、ターゲットの搬送不良などの異常事態が発生すると、ターゲットが光源の熱によって熱くなったケースに接触して、ターゲットが熱ダメージを受けるおそれがある。この点、この発明によれば、こうした異常事態が発生しても、保護シャッターを保護位置に移動させることで、ターゲットがケースに接触することが抑制されるので、ターゲットを保護することが可能となる。
【０００９】
本発明の液体噴射装置において、前記保護シャッターは、前記非保護位置で保持されており、予め設定された保護条件が満たされた場合に、前記非保護位置から前記保護位置へ移動する。
【００１０】
この発明によれば、保護条件が満たされた場合に、保護シャッターが非保護位置から保護位置へ移動するため、ターゲットを確実に保護することが可能となる。
本発明の液体噴射装置において、前記保護シャッターは、前記ケースに設けられた軸によって揺動可能に支持され、前記保護位置と前記非保護位置との間で揺動する。
【００１１】
この発明によれば、保護シャッターを保護位置と非保護位置との間で精度よく移動させることが可能となる。
本発明の液体噴射装置において、前記保護シャッターは、前記ターゲットの搬送方向に沿って揺動する。
【００１２】
この発明によれば、保護シャッターが非保護位置から保護位置へ揺動する際に、該ターゲットが保護シャッターに絡むことを抑制することが可能となる。
本発明の液体噴射装置において、前記搬送されるターゲットの幅方向において、前記保護シャッターの幅は前記照射口の幅よりも大きい。
【００１３】
この発明によれば、ターゲットが斜行状態で異常事態が発生しても、保護シャッターを保護位置に移動させることで、ターゲットがケースに接触することを回避することが可能となる。
【００１４】
本発明の液体噴射装置において、前記照射口は前記光源の光が透過する材料からなる蓋部材によって塞がれている。
この発明によれば、ターゲットの搬送不良などの異常事態が発生しても、ターゲットが照射口からケース内に進入することを回避することが可能となる。
【００１５】
本発明の光照射装置は、光源と、該光源を内部に収容するとともに、前記光源の光を外部に照射するための照射口を有するケースと、該ケースの内部に配置されるとともに、前記光源の光を遮断する遮断位置と前記光源の光を遮断しない非遮断位置との間で移動可能な遮断シャッターと、前記ケースの外部に配置されるとともに、前記照射口を覆う保護位置と前記照射口を覆わない非保護位置との間で移動可能な保護シャッターとを備えた。
【００１６】
通常、ターゲットに対して光を照射している際に、異常事態が発生すると、ターゲットが光源の熱によって熱くなったケースに接触して、ターゲットが熱ダメージを受けるおそれがある。この点、この発明によれば、こうした異常事態が発生しても、保護シャッターを保護位置に移動させることで、ターゲットがケースに接触することが抑制されるので、ターゲットを保護することが可能となる。
【図面の簡単な説明】
【００１７】
【図１】実施形態のインクジェット式プリンターの構成を示す模式図。
【図２】同プリンターの紫外線照射ユニットにおいて、外側遮断板及び内側遮断板が非遮断位置にあるとともに右側保護板及び左側保護板が非保護位置にあるときの状態を示す断面模式図。
【図３】同プリンターの紫外線照射ユニットにおいて、外側遮断板及び内側遮断板が遮断位置にあるとともに右側保護板及び左側保護板が非保護位置にあるときの状態を示す断面模式図。
【図４】同プリンターの紫外線照射ユニットにおいて、外側遮断板及び内側遮断板が非遮断位置にあるとともに右側保護板及び左側保護板が保護位置にあるときの状態を示す断面模式図。
【図５】図４の左側断面模式図。
【図６】同プリンターの電気的構成を示すブロック図。
【図７】変更例のインクジェット式プリンターの構成を示す模式図。
【発明を実施するための形態】
【００１８】
以下、本発明の液体噴射装置をインクジェット式プリンターに具体化した一実施形態を図面に従って説明する。なお、以下の説明において、「前後方向」、「左右方向」、「上下方向」をいう場合は図１及び図５に矢印で示す前後方向、左右方向、上下方向をそれぞれ示すものとする。
【００１９】
図１に示すように、液体噴射装置としてのインクジェット式プリンター１１は、いわゆるラインヘッドプリンターであり、ターゲットとしての記録用紙１２（本実施形態では枚葉紙）を搬送するための搬送ユニット１３と、該搬送ユニット１３の上方に該搬送ユニット１３と対向するように固定状態で配置された液体噴射ヘッドとしての記録ヘッド１４とを備えている。
【００２０】
搬送ユニット１３は左右方向に長い矩形板状のプラテン１５を備えている。プラテン１５の右側には前後方向に延びる駆動ローラー１６が駆動モーター１７によって回転駆動可能に配置される一方、プラテン１５の左側には前後方向に延びる従動ローラー１８が回転可能に配置されている。駆動ローラー１６及び従動ローラー１８には、プラテン１５を囲むように、１つの無端状の搬送ベルト１９が巻き回されている。
【００２１】
そして、駆動モーター１７により駆動ローラー１６を前側から見て（図１において）時計方向に回転駆動することで、搬送ベルト１９が駆動ローラー１６及び従動ローラー１８の外側を前側から見て時計方向に周回移動（駆動）されるようになっている。この場合、搬送ベルト１９の内側の面はプラテン１５の上面を左側から右側に向かって摺動するとともに、搬送ベルト１９上の記録用紙１２は上流側である左側から下流側である右側に向かって搬送されるようになっている。なお、プラテン１５の上面と対向する位置にある記録用紙１２は、吸引手段（図示略）によって搬送ベルト１９越しにプラテン１５側に吸引されるようになっている。
【００２２】
図１に示すように、記録ヘッド１４は、前後方向（記録用紙１２の幅方向）における幅が最大サイズの記録用紙１２の幅よりも若干長い直方体状をなしており、搬送ユニット１３によって搬送される記録用紙１２に液体としての紫外線硬化性（光硬化性）を有するインクを噴射するための複数のノズル２０を備えている。そして、記録ヘッド１４にはインクカートリッジ（図示略）から紫外線硬化性を有するインクが供給されるようになっており、該インクを記録ヘッド１４の各ノズル２０から搬送ユニット１３によって搬送される記録用紙１２に対してそれぞれ噴射することで印刷が行われるようになっている。
【００２３】
また、従動ローラー１８の左斜め上側には、複数枚の未印刷の記録用紙１２を１枚ずつ順次搬送ベルト１９上に給紙するための上下一対の給紙ローラー２１が設けられている。一方、駆動ローラー１６の右斜め上側には、印刷後の記録用紙１２を１枚ずつ搬送ベルト１９上から排紙するための上下一対の排紙ローラー２２が設けられている。さらに、記録ヘッド１４の右側の位置であってプラテン１５と対向する位置には、記録ヘッド１４から噴射されて記録用紙１２上に付着した紫外線硬化性を有するインクに紫外線（光）を照射して硬化させるための光照射装置としての紫外線照射ユニット２４が配置されている。
【００２４】
なお、紫外線照射ユニット２４の右側の位置であってプラテン１５と対向する位置には、搬送経路に沿って搬送される記録用紙１２のジャム（紙詰まり）を検出するためのジャム検出機構２３が配置されている。
【００２５】
次に、紫外線照射ユニット２４の構成について詳述する。
図２に示すように、紫外線照射ユニット２４は下側が開口した四角箱状をなすケース３０を備えており、ケース３０の下側の開口は照射口３１とされている。照射口３１の前後方向の幅は最大サイズの記録用紙１２の幅よりも若干大きくなるように設定されている。そして、照射口３１は光透過性が良好な無色透明の石英ガラス製の蓋部材３２によって塞がれている。
【００２６】
すなわち、照射口３１には該照射口３１と対応する矩形状の蓋部材３２が嵌め込まれた状態で固定されている。この蓋部材３２には複数の貫通孔（図示略）が全体にわたって均一に形成されている。また、ケース３０内には下側が開口するとともに断面視で放物線状をなす反射板３３が前後方向に延びるように配置されている。反射板３３の下端は蓋部材３２の上面近傍に位置しており、反射板３３の上端部には吸引口３４が貫通するように形成されている。
【００２７】
図２及び図５に示すように、反射板３３内には紫外線照射ユニット２４の光源としての紫外線ランプ３５が前後方向に延びるように配置されている。すなわち、ケース３０の前後両内側面間に直管状の紫外線ランプ３５が架設されており、該紫外線ランプ３５はケース３０内におけるほぼ中央部に位置している。なお、本実施形態では、紫外線ランプ３５に高圧水銀ランプが採用されている。
【００２８】
ケース３０の前後両内側面には、紫外線ランプ３５の前後両端部を囲うように、円環状の回転板３６がそれぞれ回転モーター３７（図６参照）によって回転駆動可能に設けられている。各回転板３６の中心軸線は紫外線ランプ３５の中心軸線と一致している。前側に位置する回転板３６の後面には該回転板３６の中心軸線を中心とした断面視劣弧状をなす遮断シャッターとしての外側遮断板３８が後方に向かって真っ直ぐに延びるように設けられており、該外側遮断板３８の後端は後側に位置する回転板３６の近傍まで達している。
【００２９】
一方、後側に位置する回転板３６の前面には該回転板３６の中心軸線を中心とした断面視劣弧状をなす遮断シャッターとしての内側遮断板３９が前方に向かって真っ直ぐに延びるように設けられており、該内側遮断板３９の前端は前側に位置する回転板３６の近傍まで達している。内側遮断板３９は外側遮断板３８よりも回転板３６の中心軸線からの距離が短い。したがって、内側遮断板３９は、外側遮断板３８と紫外線ランプ３５との間に位置している。
【００３０】
そして、外側遮断板３８及び内側遮断板３９は、各回転板３６が回転駆動されることにより、紫外線ランプ３５から照射口３１側へ照射される紫外線を遮断しない非遮断位置（図２に示す位置）と、紫外線ランプ３５から照射口３１側へ照射される紫外線を遮断する遮断位置（図３に示す位置）との間で移動されるようになっている。
【００３１】
また、ケース３０の上壁における反射板３３の吸引口３４と対応する位置には、ケース３０内を吸引する冷却ファン４０が設けられている。そして、冷却ファン４０が駆動されることで、ケース３０外の空気が蓋部材３２の各貫通孔（図示略）からケース３０内に吸い込まれ、該吸い込まれた空気が、ケース３０内の空間、特に紫外線ランプ３５を冷却することによって温められた後、冷却ファン４０からケース３０外へ排気されるようになっている。
【００３２】
図５に示すように、ケース３０の前後両外側面には、紫外線ランプ３５と同一の中心軸線を有する軸４１がそれぞれ設けられている。各軸４１には円板状の回転部材４２が２つずつ回転可能に支持されている。各軸４１に支持された２つずつの回転部材４２のうち、内側（ケース３０側）に位置するものはそれぞれ内側回転部材４２ａとされ、外側（ケース３０とは反対側）に位置するものはそれぞれ外側回転部材４２ｂとされている。
【００３３】
各内側回転部材４２ａの周面からは略扇形状をなす支持板４３ａがそれぞれ該各内側回転部材４２ａの径方向に延びており、該各支持板４３ａの先端は、前後方向に延びるとともに断面視劣弧状をなす保護シャッターとしての右側保護板４４の内側の面における前後両端部にそれぞれ接続されている。そして、前後方向において、右側保護板４４の幅は照射口３１の幅よりも若干大きくなるように設定されている。
【００３４】
一方、各外側回転部材４２ｂの周面からは略扇形状をなす支持板４３ｂがそれぞれ該各外側回転部材４２ｂの径方向に延びており、該各支持板４３ｂの先端は、前後方向に延びるとともに断面視劣弧状をなす保護シャッターとしての左側保護板４５の内側の面における前後両端部にそれぞれ接続されている。そして、前後方向において、左側保護板４５の幅は右側保護板４４の幅よりも若干大きくなるように設定されている。
【００３５】
したがって、右側保護板４４は軸４１を中心に各内側回転部材４２ａ及び各支持板４３ａを介して揺動可能になっている一方、左側保護板４５は軸４１を中心に各外側回転部材４２ｂ及び各支持板４３ｂを介して揺動可能になっている。すなわち、右側保護板４４及び左側保護板４５は、ケース３０の外部において照射口３１を覆う保護位置（図４に示す位置）と、ケース３０の外部において照射口３１を覆わない非保護位置（図２に示す位置）との間で、記録用紙１２の搬送方向である左右方向に沿って揺動可能になっている。
【００３６】
図２に示すように、非保護位置にある各保護板４４，４５の外側の面における上端部にはそれぞれ磁性体４６が設けられており、該各磁性体４６はインクジェット式プリンター１１（図１参照）内に固定状態で該各磁性体４６と対応する位置に配置された電磁石４７にそれぞれ磁力によって吸着されている。なお、通常、各電磁石４７は通電されているため、右側保護板４４及び左側保護板４５は、該各電磁石４７の磁力によって非保護位置でそれぞれ保持されている。
【００３７】
次に、インクジェット式プリンター１１の電気的構成について説明する。
図６に示すように、インクジェット式プリンター１１は、該インクジェット式プリンター１１の稼働状態を制御する制御部５０を備えている。制御部５０は、記録ヘッド１４、ジャム検出機構２３、駆動モーター１７、給紙ローラー２１、排紙ローラー２２、電磁石４７、及び回転モーター３７とそれぞれ電気的に接続されている。そして、制御部５０は、記録ヘッド１４からのインクの噴射状態を制御するとともに、駆動モーター１７、給紙ローラー２１、排紙ローラー２２、及び回転モーター３７の駆動状態を制御する。
【００３８】
また、制御部５０は、電磁石４７の通電状態を制御するようになっており、予め設定された条件である保護条件が満たされた場合に、電磁石４７への通電を停止する。そして、本実施形態において、保護条件は、異常事態であるジャム（紙詰まり）が発生することに設定されている。
【００３９】
次に、インクジェット式プリンター１１の作用について説明する。
さて、インクジェット式プリンター１１の電源を入れると、紫外線ランプ３５及び冷却ファン４０が通電され、紫外線ランプ３５が空冷されつつ点灯する。このとき、インクジェット式プリンター１１は、図２に示すように、外側遮断板３８及び内側遮断板３９が非遮断位置に位置するとともに右側保護板４４及び左側保護板４５が非保護位置に保持された状態になっている。このため、紫外線ランプ３５から放たれる紫外線は、蓋部材３２を透過して記録用紙１２の搬送経路に直接照射されるとともに反射板３３を介しても照射される。
【００４０】
そして、未印刷の記録用紙１２の印刷を行う場合には、まず、駆動モーター１７、給紙ローラー２１、及び排紙ローラー２２を駆動する。すると、記録用紙１２が搬送経路に沿って上流側から下流側へ向かって搬送される。そして、記録ヘッド１４の各ノズル２０から搬送ベルト１９に支持された状態でプラテン１５上を搬送される記録用紙１２に向けてインクが噴射されると、該記録用紙１２上に該インクが付着する。
【００４１】
この記録用紙１２に付着したインクは、該記録用紙１２が紫外線照射ユニット２４の下側を搬送される際に、紫外線ランプ３５から放たれる紫外線を受けて瞬時に硬化して該記録用紙１２に定着し、該記録用紙１２の印刷が完了する。印刷が完了した記録用紙１２は、その後、排紙ローラー２２により搬送ベルト１９上から排紙される。
【００４２】
そして、記録用紙１２の印刷中にジャム（紙詰まり）が発生すると、各電磁石４７への通電が停止される。すなわち、制御部５０は、ジャム検出機構２３から送信される信号を受信して記録用紙１２にジャムが発生していると判断すると、各電磁石４７への通電を停止する。すると、図４に示すように、各電磁石４７の磁力が失われ、右側保護板４４及び左側保護板４５が各軸４１を中心として保護位置へ向かって自重で揺動する。
【００４３】
このとき、右側保護板４４の左端部と左側保護板４５の右端部とが、照射口３１の下側であってケース３０における左右方向の中央部と対応する位置で上下に重なり合うように係合する。すなわち、ケース３０の照射口３１が右側保護板４４及び左側保護板４５によって完全に覆われる。これにより、紫外線ランプ３５の熱によって高温になっているケース３０及び蓋部材３２と、ジャムによって紫外線照射ユニット２４の真下で停滞している記録用紙１２とが右側保護板４４及び左側保護板４５によって隔絶される。
【００４４】
このため、紫外線照射ユニット２４の真下の記録用紙１２がジャムによって上側に膨らむように湾曲したとしても、該記録用紙１２が高温になっているケース３０や蓋部材３２に接触することが回避される。この結果、記録用紙１２が紫外線照射ユニット２４の熱から保護される。
【００４５】
また、印刷を休止する場合には、図３に示すように、回転モーター３７を駆動して外側遮断板３８及び内側遮断板３９を遮断位置に移動させる。これにより、紫外線ランプ３５からの紫外線が外側遮断板３８及び内側遮断板３９によって遮断されて搬送ベルト１９にほとんど照射されることがなくなる。このとき、紫外線ランプ３５は点灯したままになっているため、回転モーター３７を駆動して外側遮断板３８及び内側遮断板３９を再び非遮断位置に移動させることで、印刷を速やかに再開することができる。
【００４６】
因みに、紫外線ランプ３５は、点灯されてからインクの硬化に必要な所定の紫外線量が得られるようになるまでに時間がかかるため、印刷を休止する際に紫外線ランプ３５を消灯してしまうと、印刷を速やかに再開することができなくなる。
【００４７】
以上、詳述した実施形態によれば以下の効果を得ることができる。
（１）通常、印刷中において、記録用紙１２に異常事態であるジャム（紙詰まり）が発生すると、該記録用紙１２が紫外線ランプ３５の熱によって熱くなったケース３０や蓋部材３２に接触して熱ダメージを受けるおそれがある。この点、本実施形態によれば、記録用紙１２にジャムが発生した場合（保護条件が満たされた場合）には、右側保護板４４及び左側保護板４５が非保護位置から保護位置に移動されるため、紫外線ランプ３５の熱によって高温になっているケース３０や蓋部材３２と、ジャムによって紫外線照射ユニット２４の真下で停滞している記録用紙１２とを右側保護板４４及び左側保護板４５によって隔絶することができる。このため、記録用紙１２が高温になっているケース３０や蓋部材３２と接触することを回避することができ、紫外線照射ユニット２４の熱から記録用紙１２を保護することができる。
【００４８】
（２）右側保護板４４及び左側保護板４５はケース３０に設けられた各軸４１によって揺動可能に支持されているため、これら右側保護板４４及び左側保護板４５を保護位置と非保護位置との間で精度よく揺動（移動）させることができる。
【００４９】
（３）右側保護板４４及び左側保護板４５は、記録用紙１２の搬送方向（左右方向）に沿って揺動するため、右側保護板４４及び左側保護板４５が非保護位置から保護位置へ揺動する際に、記録用紙１２が右側保護板４４及び左側保護板４５に絡むことを抑制することができる。
【００５０】
（４）搬送される記録用紙１２の幅方向において、右側保護板４４及び左側保護板４５の幅は照射口３１の幅よりも大きいため、記録用紙１２が斜行状態でジャムが発生した場合でも、右側保護板４４及び左側保護板４５を保護位置に移動させることで、記録用紙１２がケース３０や蓋部材３２に接触することを回避することができる。
【００５１】
（５）照射口３１は紫外線ランプ３５から放たれる紫外線が透過する無色透明の石英ガラス製の蓋部材３２によって塞がれている。このため、紫外線ランプ３５からの紫外線を記録用紙１２に照射しつつ、記録用紙１２にジャムが発生して該記録用紙１２が湾曲したり屈曲したりした場合には、記録用紙１２が照射口３１からケース３０内に進入することを回避することができる。
【００５２】
（６）各回転部材４２ａ，４２ｂ及び各支持板４３ａ，４３ｂを介して各保護板４４，４５を支持する各軸４１は、ケース３０の前後両外側面における紫外線ランプ３５の中心軸線上に配置されている。そして、このケース３０の前後両外側面における紫外線ランプ３５の中心軸線上の位置は、紫外線ランプ３５の熱によって比較的温度が上昇しにくい。このため、各軸４１、各回転部材４２ａ，４２ｂ及び各支持板４３ａ，４３ｂを介して各保護板４４，４５に伝わる紫外線ランプ３５からの熱量を低減することができる。
（変更例）
なお、上記実施形態は以下のように変更してもよい。
【００５３】
・図７に示すように、インクジェット式プリンター１１は、ターゲットとしての連続紙６０を回転ドラム６１に巻き掛けて搬送するものであってもよい。この場合、紫外線照射ユニット２４は照射口３１が回転ドラム６１と対向するように横向きで配置され、ケース３０には、照射口３１を開閉可能な平板状の保護シャッターとしての保護プレート６２が設けられる。保護プレート６２は、通常、照射口３１を開放する非保護位置（図７の実線で示す位置）に電磁石４７により、該保護プレート６２の上端部に設けられた磁性体４６を介して保持されている。そして、連続紙６０の印刷中にジャムが発生して各電磁石４７への通電が制御部５０によって停止されると、各電磁石４７の磁力が失われ、保護プレート６２が非保護位置から照射口３１を閉塞する保護位置（図７の２点鎖線で示す位置）へ向かって自重で移動（落下）する。これにより、紫外線照射ユニット２４の熱から連続紙６０が保護される。なお、ケース３０には、保護プレート６２を保護位置で支持するためのストッパー６３が設けられている。
【００５４】
・保護条件は停電になることに設定してもよい。このようにすれば、記録用紙１２の印刷中に停電が発生して各電磁石４７への通電が停止されると、各電磁石４７の磁力が失われ、右側保護板４４及び左側保護板４５が各軸４１を中心として保護位置へ向かって自重で揺動する。このため、インクジェット式プリンター１１への電力供給が停電によって完全に断たれた場合でも右側保護板４４及び左側保護板４５を保護位置へ移動させることができるので、記録用紙１２を紫外線照射ユニット２４の熱から保護することができる。因みに、停電時には紫外線ランプ３５が消灯されるものの、冷却ファン４０も停止するため、停電後であっても紫外線ランプ３５の余熱によりケース３０や蓋部材３２はかなりの高温になっている。このため、停電時に右側保護板４４及び左側保護板４５が保護位置へ移動されないと、記録用紙１２が高温になっている紫外線照射ユニット２４から熱を受け続けてダメージを受けるおそれがある。
【００５５】
・保護条件は、搬送ユニット１３が故障などによって停止することに設定してもよい。このようにすれば、上記した停電の場合と同様に記録用紙１２を紫外線照射ユニット２４の熱から保護することができる。
【００５６】
・右側保護板４４及び左側保護板４５を電磁石４７の磁力によって吸着される材料で構成してもよい。この場合、右側保護板４４及び左側保護板４５が各電磁石４７によってそれぞれ吸着保持されるので、磁性体４６は省略される。
【００５７】
・右側保護板４４及び左側保護板４５のうちいずれか一方を省略してもよい。この場合、右側保護板４４及び左側保護板４５をいずれか一方だけでケース３０の照射口３１全体を覆うことができるように構成する必要がある。
【００５８】
・右側保護板４４及び左側保護板４５を平板状に構成し、これらを非保護位置と保護位置との間でスライド移動するようにしてもよい。
・光が透過する開口の大きさを自由に変更可能な絞りを保護シャッターとして用いてもよい。この場合、絞りは、通常時において開口の大きさがケース３０の照射口３１よりも大きい状態になっており、異常事態が発生した場合には開口が完全に閉じられる。
【００５９】
・紫外線ランプ３５にメタルハライドランプを採用してもよい。すなわち、紫外線硬化性を有するインクを硬化することが可能であれば、紫外線ランプとしてどのようなランプを用いてもよい。
【００６０】
・記録用紙１２は巻き取り紙（連続紙）であってもよい。この場合、搬送ベルト１９は省略される。
・記録用紙１２の代わりにプラスチックフィルムなどをターゲットとして用いてもよい。
【００６１】
・インクジェット式プリンター１１は、記録ヘッドを水平方向に移動させながら停止状態の記録用紙１２にインクを噴射するシリアルヘッドプリンターであってもよい。
・また、本実施形態では、紫外線を照射することにより硬化するインクを用いて印刷を行うものとしたが、インクは必ずしもこれには限定されず、例えば、電子線、Ｘ線、可視光線、赤外線等の紫外線以外の光を照射することにより硬化するインクであってもよい。この場合、インクには、紫外線以外の光で重合して硬化する重合性化合物と、紫外線以外の光で重合性化合物同士の重合反応を開始させる光開始剤とが適用される。また、紫外線以外の光で硬化する光硬化型のインクを用いる場合は、紫外線光源に代えて、その光を照射する光源を適用する。
【符号の説明】
【００６２】
１１…液体噴射装置としてのインクジェット式プリンター、１２…ターゲットとしての記録用紙、１４…液体噴射ヘッドとしての記録ヘッド、２４…光照射装置としての紫外線照射ユニット、３０…ケース、３１…照射口、３２…蓋部材、３５…光源としての紫外線ランプ、３８…遮断シャッターとしての外側遮断板、３９…遮断シャッターとしての内側遮断板、４１…軸、４４…保護シャッターとしての右側保護板、４５…保護シャッターとしての左側保護板、６０…ターゲットとしての連続紙。
【図１】
2011156775.tif 000003
【図２】
2011156775.tif 000004
【図３】
2011156775.tif 000005
【図４】
2011156775.tif 000006
【図５】
2011156775.tif 000007
【図６】
2011156775.tif 000008
【図７】
2011156775.tif 000009